(57)【要約】      （修正有）【課題】赤外線信号によるリモコンの動作に好適な仏壇を提供する。【解決手段】仏壇Ｐは、仏壇Ｐの欄間８の後方に位置する厨子９の前方にあって、モーター１０の駆動によって開閉する扉７、７と、モーター１０を駆動制御するモーター駆動制御手段１０１と、赤外線信号を発する互いに異なる向きに取り付けた複数の発信部２１、２２を備えたリモコン２０と、欄間８の下端より突出するように設けられ、前記赤外線信号を受光する受光部１５と、前記複数の発信部の内、少なくとも、一つは垂直上方に、他の一つは前記垂直方向に対して傾斜して斜め上方に、それぞれ発信してモーター駆動制御手段１０１を動作させるものであるものである。【選択図】図２
0003119946.tif 000002
【実用新案登録請求の範囲】
【請求項１】
仏壇の欄間の後方に位置する厨子の前方にあって、モーターの駆動によって開閉する扉と、
前記モーターを駆動制御するモーター駆動制御手段と、
赤外線信号を発する互いに異なる向きに取り付けた複数の発信部を備えたリモコンと、
前記欄間の下端より突出するように設けられ、前記赤外線信号を受光する受光部と、
前記複数の発信部の内、少なくとも、一つは垂直上方に、他の一つは前記垂直方向に対して傾斜して斜め上方に、それぞれ発信して前記モーター駆動制御手段を動作させる
ことを特徴とする仏壇。
【請求項２】
欄間の内方に取り付けられた蛍光灯と、
受光部の前記蛍光灯に面する側に遮光用の遮蔽部材が取り付けられていることを特徴とする請求項１記載の仏壇。
【請求項３】
先端が欄間より突出した天板を有する仏壇であって、
前記欄間の後方に位置する厨子の前方にあって、モーターの駆動によって開閉する扉と、
前記モーターを駆動制御するモーター駆動制御手段と、
赤外線信号を発する互いに異なる向きに取り付けた複数の発信部を備えたリモコンと、
前記欄間より前側の天板の下端より突出するように設けられ、前記赤外線信号を受光する受光部と、
前記複数の発信部の内、少なくとも、一つは垂直上方に、他の一つは前記垂直方向に対して傾斜して斜め上方に、それぞれ発信して前記モーター駆動制御手段を動作させる
ことを特徴とする仏壇。
【請求項４】
先端が欄間より突出した天板を有する仏壇であって、
前記欄間の後方に位置する厨子の前方にあって、モーターの駆動によって開閉する扉と、
前記モーターを駆動制御するモーター駆動制御手段と、
赤外線信号を発する互いに異なる向きに取り付けた複数の発信部を備えたリモコンと、
前記欄間と前記天板との間であって、前記欄間より前側に突出する部位に突出するように設けられ、前記赤外線信号を受光する受光部と、
前記複数の発信部の内、少なくとも、一つは垂直上方に、他の一つは前記垂直方向に対して傾斜して斜め上方に、それぞれ発信して前記モーター駆動制御手段を動作させる
ことを特徴とする仏壇。
【請求項５】
欄間の内方に取り付けられた蛍光灯を備えている
ことを特徴とする請求項３又は４記載の仏壇。
【考案の詳細な説明】
【技術分野】
【０００１】
本考案は、仏壇に係り、特に、赤外線信号によるリモコンの動作に好適な仏壇に関する。
【背景技術】
【０００２】
従来、欄間の下方に位置する開口部をモーターの駆動によって開閉する扉を有する仏壇がある。そして、このモーターの駆動は、仏壇本体に設けたスイッチを指で押すことにより行っている。
最近、仏壇から離れた位置から扉を開閉したいという要請がある。この要請に対応するため、モーターの駆動制御を赤外線信号を発するリモコンにより行うことが考えられる。かかる場合、仏壇に赤外線信号を受光する受光部を取り付け  、仏壇から離れた位置から扉を開閉するようにすると、仏壇の真下にリモコンを置いて、リモコンを動作させても、モーターが駆動しない場合がある。これは  、リモコンより発せられる赤外線が直進性を有することに起因する。そのため、赤外線信号を受光する受光部を仏壇に設ける場合、仏壇から離れた位置から発する赤外線信号を受光する受光部の他に、仏壇の真下から発する赤外線信号を受光する受光部と、複数箇所必要となる。
【０００３】
しかしながら、仏壇に受光部を複数設けると、仏壇の外観の面から好ましくないという問題点が生じる。
【考案の開示】
【考案が解決しようとする課題】
【０００４】
本考案は、前記した問題点を除去するようにした仏壇を提供することを目的としている。
【課題を解決するための手段】
【０００５】
前記した目的を達成するための本考案の仏壇は、仏壇の欄間の後方に位置する厨子の前方にあって、モーターの駆動によって開閉する扉と、前記モーターを駆動制御するモーター駆動制御手段と、赤外線信号を発する互いに異なる向きに取り付けた複数の発信部を備えたリモコンと、前記欄間の下端より突出するように設けられ、前記赤外線信号を受光する受光部と、前記複数の発信部の内、少なくとも、一つは垂直上方に、他の一つは前記垂直方向に対して傾斜して斜め上方に、それぞれ発信して前記モーター駆動制御手段を動作させるものであるものである。
【０００６】
また、請求項２記載の仏壇は、請求項１記載の仏壇において、欄間の内方に取り付けられた蛍光灯と、受光部の前記蛍光灯に面する側に遮光用の遮蔽部材が取り付けられているものであるである。
【０００７】
また、請求項３記載の仏壇は、先端が欄間より突出した天板を有する仏壇であって、前記欄間の後方に位置する厨子の前方にあって、モーターの駆動によって開閉する扉と、前記モーターを駆動制御するモーター駆動制御手段と、赤外線信号を発する互いに異なる向きに取り付けた複数の発信部を備えたリモコンと、前記欄間より前側の天板の下端より突出するように設けられ、前記赤外線信号を受光する受光部と、前記複数の発信部の内、少なくとも、一つは垂直上方に、他の一つは前記垂直方向に対して傾斜して斜め上方に、それぞれ発信して前記モーター駆動制御手段を動作させるものである。
【０００８】
また、請求項４記載の仏壇は、先端が欄間より突出した天板を有する仏壇であって、前記欄間の後方に位置する厨子の前方にあって、モーターの駆動によって開閉する扉と、前記モーターを駆動制御するモーター駆動制御手段と、赤外線信号を発する互いに異なる向きに取り付けた複数の発信部を備えたリモコンと、前記欄間と前記天板との間であって、前記欄間より前側に突出する部位に突出するように設けられ、前記赤外線信号を受光する受光部と、前記複数の発信部の内  、少なくとも、一つは垂直上方に、他の一つは前記垂直方向に対して傾斜して斜め上方に、それぞれ発信して前記モーター駆動制御手段を動作させるものである。
【０００９】
また、請求項５記載の仏壇は、請求項３又は４記載の仏壇において、欄間の内方に取り付けられた蛍光灯を備えているものである。
【考案の効果】
【００１０】
請求項１記載の仏壇によれば、赤外線信号を発する互いに異なる向きに取り付けた複数の発信部を備えたリモコンと、このリモコンの発信部より発する赤外線信号を受光する受光部を欄間の下端より突出するように設けるという、簡易な手段により、仏壇の前方よりリモコンを動作させると、複数の発信部の内の一つは垂直方向に対して傾斜した斜め上方に、発信してモーター駆動制御手段を動作させることができ、また、仏壇の欄間の下方に位置する部位[例えば、棚板（底板）、膳引、経机等]にリモコンを置いて動作させると、複数の発信部の内の一  つは垂直上方に発信してモーター駆動制御手段を動作させることができる。
【００１１】
また、請求項２記載の仏壇によれば、前述した請求項１記載の考案の効果に加え、受光部の蛍光灯に面する側に遮光用の遮蔽部材が取り付けられているため、赤外線信号を受光する受光部が蛍光灯の影響を避けることができる。
【００１２】
また、請求項３記載の仏壇によれば、赤外線信号を発する互いに異なる向きに取り付けた複数の発信部を備えたリモコンと、このリモコンの発信部より発する赤外線信号を受光する受光部を欄間より前側の天板の下端より突出するように設けるという、簡易な手段により、仏壇の前方よりリモコンを動作させると、複数の発信部の内の一つは垂直方向に対して傾斜した斜め上方に、発信してモーター駆動制御手段を動作させることができ、また、仏壇の欄間の下方に位置する部位[例えば、棚板（底板）、膳引、経机等]にリモコンを置いて動作させると、複数の発信部の内の一つは垂直上方に発信してモーター駆動制御手段を動作させることができる。
【００１３】
また、請求項４記載の仏壇によれば、赤外線信号を発する互いに異なる向きに取り付けた複数の発信部を備えたリモコンと、このリモコンの発信部より発する赤外線信号を受光する受光部を欄間と天板との間であって、前記欄間より前側に突出する部位に突出するように設けるという、簡易な手段により、仏壇の前方よりリモコンを動作させると、複数の発信部の内の一つは垂直方向に対して傾斜した斜め上方に、発信してモーター駆動制御手段を動作させることができ、また、仏壇の欄間の下方に位置する部位[例えば、棚板（底板）、膳引、経机等]にリモコンを置いて動作させると、複数の発信部の内の一つは垂直上方に発信してモーター駆動制御手段を動作させることができる。
【００１４】
また、請求項５記載の仏壇によれば、前述した請求項３又は４記載の考案の効果に加え、蛍光灯の光は欄間により遮光されるため、受光部に遮光用の遮蔽部材を取り付けなくても、赤外線信号を受光する受光部が蛍光灯の影響を避けることができる。
【考案を実施するための最良の形態】
【００１５】
本考案の一実施例である仏壇を図面を参照して説明する。
図１〜図１０において、Ｐは仏壇で、仏壇Ｐは、概略的に、天板１、底板２  、左側板３、右側板４、背板５からなる箱体の前面を開閉する前扉（扉）６、６と、後扉（扉）７、７とから構成されている。
【００１６】
後扉（扉）７、７は、図１及び図７に示すように、仏壇Ｐの欄間８の後方に位置する厨子９[図１０（ｂ）参照]の前方にあって、モーター１０の駆動によって開閉するようになっている。
後扉（扉）７、７の開閉は、例えば、図９及び図１０に示すように、モーター１０の駆動によって回転する駆動歯車１１と、ベルト１３を介して回転する従動歯車１２と、一端をベルト１３にそれぞれ接続したリンク１４、１４と、リンク１４、１４の他端を後扉（扉）７、７に接続し、モーター１０の正逆の回転により、ベルト１３、リンク１４、１４、凸部１４ａ、１４ａ[図９（ｂ）、図１０（ｂ）参照]を介し、仏壇Ｐに設けたガイド（図示せず）により、後扉（扉）７、７を水平方向に移動させるようにしている。
【００１７】
１５は赤外線信号を受光する受光部（赤外線受光センサー）で、受光部１５は、図２及び図３に示すように、欄間８の下端より突出するように設けられている。また、１６は、欄間８の内方に取り付けられた蛍光灯である。１７は遮光用の遮蔽部材で、遮光用の遮蔽部材１７は、受光部１５の蛍光灯１６に面する側に取り付けられ、赤外線信号を受光する受光部１５が蛍光灯１６の影響を避けるようにしている。
【００１８】
また、２０はリモコンで、リモコン２０は図４乃至図６に示すように、赤外線信号を発する互いに異なる向きに取り付けた複数の発信部２１、２２を備えている。発信部２１、２２は、具体的には、赤外線発光ダイオード（ＬＥＤ）で赤外線を放射するもので、赤外線信号を発する互いに異なる向きに取り付けてある  。そして、複数の発信部２１、２２の内、少なくとも、一つ（発信部２１）は垂直上方に、他の一つ（発信部２２）は前記垂直方向に対して傾斜して斜め上方に、それぞれ発信するようにようになっている（図５及び図６参照）。なお、２３は透明な窓、２４は駆動電源で、例えば、蛍光灯１６のＯＮ、ＯＦＦの切り換え釦、２５は後扉（扉）７、７を開動作を行う釦、２６は後扉（扉）７、７の開動作の停止を行う釦、２５は後扉（扉）７、７を閉動作を行う釦である。
【００１９】
従って、仏壇Ｐの前方よりリモコン２０を動作させる（釦２５を押す）と、複数の発信部２１、２２の内の一つは垂直方向に対して傾斜した斜め上方に発信して、制御手段１００、モーター１０を駆動制御するモーター駆動制御手段１０１を動作させて、後扉（扉）７、７の開動作を行わせ、また、仏壇Ｐの欄間８の下方に位置する部位[例えば、棚板（底板）、膳引、経机等]にリモコン２０を置いて動作させると、複数の発信部２１、２２の内の一つは垂直上方に発信して、制御手段１００、モーター１０を駆動制御するモーター駆動制御手段１０１を動作させて、後扉（扉）７、７の開動作を行わせることができる。
また、後扉（扉）７、７の開動作の途中、釦２６が押されると、複数の発信部２１、２２から赤外線を発して、制御手段１００、モーター１０を駆動制御するモーター駆動制御手段１０１を動作させて、後扉（扉）７、７の開動作を停止させることができる。
また、釦２７が押されると、複数の発信部２１、２２から赤外線を発して、制御手段１００、モーター１０を駆動制御するモーター駆動制御手段１０１を動作させて、モーター１０の回転を逆転させて後扉（扉）７、７の閉動作を行わせることができる。
また、蛍光灯１６がＯＦＦ状態で、釦２４が押されると、制御手段１００、蛍光灯１６を駆動制御する蛍光灯駆動制御手段１０２を動作させて、蛍光灯１６をＯＮとし、逆に、蛍光灯１６がＯＮ状態で、釦２４が押されると、制御手段１００、蛍光灯１６を駆動制御する蛍光灯駆動制御手段１０２を動作させて、蛍光灯１６をＯＦＦとすることができる。
【００２０】
また、受光部１５の取り付け部位は、図２に限らず、図１１及び図１２に示すように、欄間８の一部を切り欠いた凹所８１に取り付けても良く、更に、図１３及び図１４に示すように、受光部１５を、先端が欄間８より突出した天板１を有する仏壇Ｐであって、欄間８と天板１との間であって、欄間８より前側に突出する部位３０に突出するように設けるようにしても良く、また、図１５に示すように、受光部１５を、欄間８より前側の天板１の下端より突出するように設けるようにしても良い。
【００２１】
なお、上述の実施例においては、制御手段１００、モーター１０を駆動制御するモーター駆動制御手段１０１を動作させて、後扉（扉）７、７の開閉動作を行わせるようにしたが、前扉（扉）６、６の開閉動作をも行わせるようにしても良い。
【図面の簡単な説明】
【００２２】
【図１】図１は、本考案の仏壇の概略的正面図である。
【図２】図２は、図１の２−２線による概略的断面図である。
【図３】図３は、図２の概略的斜視図である。
【図４】図４は、図１の仏壇をコントロールするリモコンの概略的平面図である。
【図５】図５は、図４の５−５線による概略的断面図である。
【図６】図６は、図４の６−６線による概略的断面図である。
【図７】図７は、図４のリモコンの使用位置による使用状態を示す図１の仏壇の概略的側面図である。
【図８】図８は、図１の仏壇の概略的ブロック図である。
【図９】図９（ａ）は、扉が閉じている状態の概略的平面図であり、図９（ｂ）は、 図９（ａ）の概略的正面図である。
【図１０】図１０（ａ）は、扉が開いている状態の概略的平面図であり、図１０（ｂ）は、 図１０（ａ）の概略的正面図である。
【図１１】図１１は、図２に記載の実施例と異なる他の実施例の概略的断面図である。
【図１２】図１２は、図１１の概略的斜視図である。
【図１３】図１３は、図１１に記載の実施例と異なる他の実施例の概略的断面図である  。
【図１４】図１４は、図１３の概略的斜視図である。
【図１５】図１５は、図１３に記載の実施例と異なる他の実施例の概略的断面図である  。
【符号の説明】
【００２３】
Ｐ…仏壇
７…扉
８…欄間
９…厨子
１０…モータ
１５…受光部
２０…リモコン
２１…発信部
２２…発信部
１０1…モーター駆動制御手段
【図１】
0003119946.tif 000003
【図２】
0003119946.tif 000004
【図３】
0003119946.tif 000005
【図４】
0003119946.tif 000006
【図５】
0003119946.tif 000007
【図６】
0003119946.tif 000008
【図７】
0003119946.tif 000009
【図８】
0003119946.tif 000010
【図９】
0003119946.tif 000011
【図１０】
0003119946.tif 000012
【図１１】
0003119946.tif 000013
【図１２】
0003119946.tif 000014
【図１３】
0003119946.tif 000015
【図１４】
0003119946.tif 000016
【図１５】
0003119946.tif 000017